(57)【特許請求の範囲】
【請求項１】
底面板と、この底面板の長手方向に沿う前後端から立ち上がる前面板及び背面板とを有する水路部と、
前記水路部を覆うカバー部とを備え、長手方向が道路延長方向に沿うように設置される排水溝ユニットであって、
前記カバー部の長手方向両端部の内面に長手方向に沿って垂下して設けられた垂下板に、鉛直方向に回動自在に設けられ、係合部を有するロック部材と、
前記ロック部材に対応して前記水路部の前記背面板に水平方向に設けられ、前記ロック部材の前記係合部が係合して前記カバー部が前記水路部から離脱するのを阻止するするストッパ部材とを備え、
前記垂下板には水平方向に載荷板が設けられ、
前記カバー部は前記載荷板を介して前記ストッパ部材に支持されていることを特徴とする排水溝ユニット。
【請求項２】
前記ロック部材は、その自重に抗して上向きの力を与えて回動させたとき前記ストッパ部材との係合が解除し、前記上向きの力を解放したとき自重により回動して前記ストッパ部材と係合することを特徴とする請求項１記載の排水溝ユニット。
【請求項３】
前記ロック部材は前記カバー部の長手方向内方側に係合凹部が、前記カバー部の長手方向外方側につまみ部がそれぞれ設けられたプレートからなり、
前記ストッパ部材は前記背面板から前記水路部内方に水平方向に突出する突出部を有するロッドからなり、
前記係合凹部に前記突出部が入り込むことにより、前記ロック部材が前記ストッパ部材に係合することを特徴とする請求項２記載の排水溝ユニット。
【発明の詳細な説明】
【技術分野】
【０００１】
この発明は、排水溝ユニットに関し、より詳細には道路橋を含む道路の路肩や中央分離帯の側方に道路延長方向に沿って設置される排水溝ユニットに関する。
【背景技術】
【０００２】
道路橋を含む道路の路肩や中央分離帯の側方に縁石機能を兼ねて設置される排水溝が知られている。この排水溝は鋼材を用いてユニットとして工場製作され、道路等の施工現場では多数の排水溝ユニットを直列に接続して設置される。
【０００３】
排水溝ユニットは、基本的な構造として、底面板と、この底面板の長手方向に沿う前後端から立ち上がる前面板及び背面板とを有する水路部と、水路部を覆うカバー部とを備えており、長手方向が道路延長方向に沿うように設置される。
【０００４】
排水溝ユニットは前述のように縁石機能を兼ねているのであるが、自動車が運転を誤って排水溝ユニットに乗り上げたり衝突したりすると、カバー部が水路部から離脱するおそれがある。このため、一般に、排水溝ユニットにはカバー部の離脱防止のためのロック機構が設けられている。
【０００５】
例えば、特許文献１には、「上記水路部の各側壁にはそれぞれ、内側側方に突出する突出部を長手方向に沿うようにして設けると共に、各突出部には１ないし複数箇所に凹所を形成する一方、カバー部には上記突出部に対応する両側部にそれぞれ上記突出部に嵌合する断面倒Ｕ形又は倒Ｌ形をなし、上記凹所に嵌合可能である規制部材を設け、上記カバー部を水路部の正規位置に取付けたときには、各規制部材が前記突出部に嵌挿されて抜け止めされ、また上記カバー部を長手方向に一定量スライドさせると、各規制部材がそれぞれ凹所への嵌合位置に位置して抜きだし可能である」（請求項１）ロック機構を備えた排水溝ユニットが記載されている。
【０００６】
しかしながら、特許文献１記載の排水溝ユニットは、ロック機構によってカバー部をロックし、あるいはロックを解除するにはカバー部を一定量長手方向にスライドさせなければならない。カバー部は重量物であり、したがってカバー部の水路部への取付け・取り外しの際には、併せてカバー部のロック・ロック解除をしなければならず、作業者に多大な労力を課すことになる。
【先行技術文献】
【特許文献】
【０００７】
【特許文献１】特開２００９ー８４９５７号公報
【発明の概要】
【発明が解決しようとする課題】
【０００８】
この発明は上記のような技術的背景に基づいてなされたものであって、次の目的を達成するものである。
この発明の目的は、カバー部の水路部へのロック・ロック解除を容易に行うことができ、したがってカバー部の水路部への取付け・取り外しも容易な排水溝ユニットを提供することにある。
【課題を解決するための手段】
【０００９】
この発明は上記課題を達成するために、次のような手段を採用している。
すなわち、この発明は、底面板と、この底面板の長手方向に沿う前後端から立ち上がる前面板及び背面板とを有する水路部と、
前記水路部を覆うカバー部とを備え、長手方向が道路延長方向に沿うように設置される排水溝ユニットであって、
前記カバー部の長手方向両端部の内面に長手方向に沿って垂下して設けられた垂下板に、鉛直方向に回動自在に設けられ、係合部を有するロック部材と、
前記ロック部材に対応して前記水路部の前記背面板に水平方向に設けられ、前記ロック部材の前記係合部が係合して前記カバー部が前記水路部から離脱するのを阻止するするストッパ部材とを備え、
前記垂下板には水平方向に載荷板が設けられ、
前記カバー部は前記載荷板を介して前記ストッパ部材に支持されていることを特徴とする排水溝ユニットにある。
【００１１】
また、前記ロック部材は、その自重に抗して上向きの力を与えて回動させたとき前記ストッパ部材との係合が解除し、前記上向きの力を解放したとき自重により回動して前記ストッパ部材と係合する構成を採ることができる。
【００１２】
さらに、前記ロック部材は前記カバー部の長手方向内方側に係合凹部が、前記カバー部の長手方向外方側につまみ部がそれぞれ設けられたプレートからなり、
前記ストッパ部材は前記背面板から前記水路部内方に水平方向に突出する突出部を有するロッドからなり、
前記係合凹部に前記突出部が入り込むことにより、前記ロック部材が前記ストッパ部材に係合する構成を採ることができる。
【発明の効果】
【００１４】
この発明によれば、カバー部の水路部へのロック・ロック解除を容易に行うことができ、したがってカバー部の水路部への取付け・取り外しも容易に行うことができる。
【図面の簡単な説明】
【００１５】
【図１】この発明の実施形態を示す平面図である。
【図２】同実施形態の正面図である。
【図３】設置状態を示す側面図である。
【図４】ロック機構部分を拡大して示す平面図である。
【図５】図４のＡ−Ａ線矢視による断面図である。
【図６】図４のＢ−Ｂ線矢視による側面図である。
【図７】ロック部材を拡大して示す正面図である。
【図８】別の実施形態を設置状態で示す側面図である。
【発明を実施するための形態】
【００１６】
この発明の実施形態を図面を参照しながら以下に説明する。図１は、この発明による排水溝ユニットの実施形態を示す平面図、図２は同実施形態の正面図、図３は設置状態を示す側面図である。排水溝ユニット１０は、水路部１１とカバー部１２とを備えている。水路部１１及びカバー部１２は、いずれも鋼材を加工して作られた鋼製のものである。水路部１１は底面板１１ａと、底面板１１ａの長手方向に沿う前後端から立ち上がる前面板１１ｂ及び背面板１１ｃを有している。
【００１７】
図３に示すように、排水溝ユニット１０は、例えば道路橋における道路（舗装）５０の路肩や中央分離帯の側方に、長手方向が道路延長方向に沿うように設置される。排水溝ユニット１０の背面側に形成されるコンクリート構造物である地覆部５１の表面は、舗装５０の表面よりもレベルが高くなっていることから、これらに対応して背面板１１ｃは前面板１１ｂよりも高さが高くなっている。
【００１８】
カバー部１２は、頂板１２ａと、頂板１２ａの長手方向に沿う前後端から垂下する前面板１２ｂ及び背面板１２ｃと、前面板１２ｂの下端から舗装５０側に直角に屈曲する水平板１２ｄと、水平板１２ｄの先端から垂下する位置決め板１２ｅとを有している。カバー部１２を水路部１１に取り付けると、カバー部１２の背面板１２ｃ及び位置決め板１２ｅは水路部１１の内方に入り込み、それぞれ水路部１１の背面板１１ｃ及び前面板１１ｂと重なり合った状態となる。
【００１９】
水路部１１の下方の床版５３上に高さ調整モルタル５２を敷設し、排水溝ユニット１０が舗装５０と地覆部５１との間に設置された状態で、舗装５０の表面と水平板１２ｄの表面とがほぼ同一の高さレベルとなり、また頂板１２ａの表面と地覆部５１の表面とがほぼ同一高さレベルとなる。
【００２０】
カバー部１２の前面板１２ｂの下端部には、雨水などの導入孔１３が長手方向に間隔を置いて複数（図示例では２つ）設けられている。道路（舗装）５０に降った雨水はカバー部１２の水平部１２ｄ及び導入孔１３を通って水路部１１に流れ込む。
【００２１】
水路部１１における前面板１１ｂの前面側には、断面Ｌ字形の補強プレート１４が設けられている。この補強プレート１４は水路部１１の内方に突出するピン１５により前面板１１ｂに固定され、前面板１１ｂ及び底面板１１ａの前部を覆っている。ピン１５は長手方向に間隔を置いて複数（図示例では２つ）設けられ、これらのピン１５は後述するようにカバー部１２の水路部１１への取付けの際に、位置決め部材となる。舗装５０の転圧施工時に水路部１１に向けての横方向の力が加わるが、補強プレート１４はこの力に対抗して水路部１１を補強するためのものである。
【００２２】
カバー部１２の位置決め板１２ｅには、ピン１５に対応して複数の切欠き１６が下端から形成されている。カバー部１２の水路部１１への取付けの際は、切欠き１６にピン１５が嵌入し、カバー部１２の位置決めがなされる。
【００２３】
補強プレート１４には長手方向に間隔を置いて複数（図示例では３つ）の切欠き１７が上端から形成されている。一方、水路部１１の前面板１１ｂ及びカバー部１２の位置決め板１２ｅには、切欠き１７に対応して雨水等の導入孔１８が形成されている。これらの切欠き１７及び導入孔１８は、舗装５０が排水性（透水性）の場合に機能するもので、舗装５０の内部に浸入した雨水等は切欠き１７及び導入孔１８を通って水路部１１に流入する。したがって、舗装５０が非排水性の場合には切欠き１７及び導入孔１８は設ける必要がない。
【００２４】
カバー部１２の上部内側には長手方向に間隔を置いて複数（図示例では３つ）のリブ板１９が設けられている。これらのリブ板１９はカバー部１２を補強するためのもので、頂板１２ａ、前面板１２ｂ及び背面板１２ｃに３辺が固定されている。
【００２５】
図４〜図６にロック機構を拡大して示すように、カバー部１２の長手方向両端部において、頂板１２ａの内面に長手方向に沿って垂下する垂下板２０が設けられている。この垂下板２０の下端には載荷板２１が水平方向に設けられている。垂下板２０にはプレートからなるロック部材２２の上端部がピン２３を介して支持され、ロック部材２２は鉛直方向に回動自在となっている。載荷板２１には切欠き溝２４が形成され、ロック部材２２は回動時に切欠き溝２４に進入して、ロック部材２２の回動を阻害しないようになっている。
【００２６】
ロック部材２２に対応して、水路部１１の背面部１１ｃの内面にはストッパ部材２５が設けられている。ストッパ部材２５は背面板１１ｃから水平方向に突出する突出部２５ａと、この突出部２５ａの先端から水平方向に折曲された折曲部２５ｂとを有するＬ字形のロッドからなっている。
【００２７】
カバー部１２を水路部１１に取り付けると、載荷板２１がストッパ部材２５の突出部２５ａ及び折曲部２５ｂに亘って支持される。すなわち、カバー部１２の荷重は、このストッパ部材２５と前述した位置決めピン１５とによって水路部１１に伝達される。このカバー部１２を水路部１１に取り付けた状態で、ストッパ部材２５の突出部２５ａは載荷板２０の切欠き溝２４の中間部を横切るように配置されている。
【００２８】
ロック部材２２は、図７にも拡大して示すように、カバー部１２の長手方向内方側に係合凹部２２ａが、カバー部１２の長手方向外方側につまみ部２２ｂがそれぞれ設けられている。つまみ部２２ｂは、図４に示すように、その先端部がカバー部１２から外方に突出するように配置されている。
【００２９】
ロック部材２２は、これに自重のみが作用しているときは、図７実線位置で示すように、ストッパ部材２５の突出部２５ａが係合凹部２２ａに入り込んで、ロック部材２２がストッパ部材２５に係合した状態にある。そして、つまみ部２２ａの下部に指をあてがう等してロック部材２２に上向きの力を加えて、ロック部材２２を図７鎖線位置で示すように回動させると係合が解除し、また、つまみ部２２ｂから指を離して上向きの力を解放すると、ロック部材２２は自重により前記とは逆方向に回動して係合凹部２２ａに突出部２５ａが入り込み係合状態となる。
【００３０】
上記のようなロック部材２２とストッパ部材２５との係合・係合解除が確実となるように、ロック部材２２の回動中心であるピン２３の中心を通る鉛直面と、突出部２５ａの中心を通る鉛直面との間に所定大きさのオフセットＳが設けられている。
【００３１】
水路部１１の背面板１１ｃの外面には、その高さ方向中間部において、集水板２６が設けられている。集水板２６は背面板１１ｃに上向きに傾斜して固定される傾斜部２６ａと、傾斜部２６ａの先端に連なる水平部２６ｂとを有し、この集水板２６は背面板１１ｃの長手方向ほぼ全体に亘って水平に設けられている。
【００３２】
水路部１１の背面板１１ｃには雨水等の導入孔２７が設けられている。この導入孔２７は集水板２６の一方の端部側において傾斜部２６ａの直上に設けられている。水平部２６ｂは地覆部５１のコンクリートとの定着を良くするためのもので、水平部２６ｂには定着用のＬ字形鉄筋（図示せず）を挿入するための複数の孔２８が設けられている。
【００３３】
従来の排水溝ユニットの場合、地覆部５１と水路部１１の背面板１１ｃとの間から雨水等の水が浸入し、この水は水路部１１の下方の高さ調整モルタル部５２に流れ込む。高さ調整モルタル部５２で使用されるモルタルは、一般に乾燥モルタルである。したがって高さ調整モルタル部５２に水が流れ込むことによりモルタルが流動し、水路部１１のレベルに狂いが生じてしまう場合がある。
【００３４】
この実施形態では上記のような集水板２６を設けることにより、地覆部５１と水路部１１の背面板１１ｃとの間に浸入した水は、集水板２６に受け止められ、導入孔２７を通って水路部１１に流れ込む。これにより、水が高さ調整モルタル部５２に流れ込むのを阻止することができる。なお、排水溝ユニット１は水路部１１に流れ込んだ水を一方向に流すため勾配を与えて設置されるので、導水孔２７は下流側となる部分に１つ設ければよい。
【００３５】
その他、図１，図２において符号３０で示す部材は、隣接する排水溝ユニット１どうしを連結する際に連結部の長さを調整するための部材である。また、図１，図３において符号３１で示す部材は、水路部１１を地覆部５１に定着させるための定着板で、定着用のＬ字形鉄筋（図示せず）を挿入するための孔３３が設けられている。
【００３６】
上記排水溝ユニット１において、カバー部１２を水路部１１に取り付ける際には、作業者二人のうち一方がカバー部１２の一方の長手方向端部を、他方の作業者がカバー部１２の他方の長手方向端部をそれぞれ手で持ち上げる。そして、つまみ部２２ｂの下部に指をあてがってロック部材２２を上向きに回動させ、その状態でカバー部１２の位置決め板１２ｅの切欠き１６に水路部１１の位置決めピン１５を嵌め込んで位置決めするとともに、載荷板２１をストッパ部材２５に載せる。これと同時にもしくはその後、ロック部材２２から指を離して上向きの力を解放する。これにより、ロック部材２２が自重により下向きに回動して、係合凹部２２ａにストッパ部材２５の突出部２５ａが入り込み、ロック部材２２がストッパ部材２５に係合する。このロック部材２２とストッパ部材２５との係合により、カバー部１２が水路部１１から離脱することが阻止される。
【００３７】
カバー部１２を水路部１１から取り外す際には、ロック部材２２を上向きに回動させてロック部材２２とストッパ部材２５との係合を解除し、その状態でカバー部１２を持ち上げて水路部１２から取り外す。
【００３８】
図８は別の実施形態を示す側面図である。この実施形態では、カバー部３２は、傾斜板３２ａと、傾斜板３２ａの長手方向に沿う前端から垂下する鉛直板３２ｂと、鉛直板３２ｂの下端から舗装５０側に直角に屈曲する水平板３２ｃと、水平板３２ｃの先端から垂下する位置決め板３２ｄとを有している。ロック部材２２を回動可能に支持するための垂下板２０は傾斜板３２ａの内面に設けられている。また、舗装５０からの雨水等の導入孔１３は鉛直板３２ｂに設けられている。
【００３９】
水路部１１の構成は上記実施形態と同様であるが、この実施形態では、背面板１１ｃの背面側に設置されるコンクリート構造物として壁高欄５５が示されている。また、この実施形態では集水板２６が傾斜部のみによって形成され、定着板３１は背面板１１ｃの高さ方向に間隔を置いた２つの高さ位置に設けられている。その他の構成は上記実施形態と同様であり、同一の部材には同一符号を付してある。
【００４０】
以上のように、この発明の実施形態として示した排水溝ユニット１０によれば、カバー部１２の水路部１１へのロック・ロック解除を容易に行うことができ、したがってカバー部１２の水路部への取付け・取り外しも容易に行うことができる。また、ロック部材２２は自重により回動してストッパ部材２５に係合するので、カバー部１２の水路部１１への取付け時にロック部材２２に加えた上向きの力を解放するだけで、カバー部１２の取付けと同時にロックすることができる。
【００４１】
さらに、ロック部材２２が回動可能に取り付けられる垂下板２０に載荷板２１を設けてストッパ部材２５に支持させるので、ストッパ部材２５はカバー部１２を水路部１１にロックする機能のみならず、カバー部１２の荷重を水路部１１に伝達する機能を併せ持つこととなり、コンパクトで無駄のない構造とすることができる。
【００４２】
上記実施形態は例示にすぎず、この発明は種々の態様を採ることができる。例えば、上記実施形態ではストッパ部材をＬ字形のロッドで構成したが、これに限らず、屈曲部のない直状のロッド、あるいはＵ字形のロッド、さらにはロッドではなく板状のもの（この場合、ロック部材が係合する係合孔を設ける）としてもよい。
【符号の説明】
【００４３】
１０：排水溝ユニット
１１：水路部
１１ａ：底面板
１１ｂ：前面板
１１ｃ：背面板
１２：カバー部
１２ａ：頂板
１２ｂ：前面板
１２ｃ：背面板
１２ｄ：水平板
１２ｅ：位置決め板
１５：ピン
１６：切欠き
２０：垂下板
２１：載荷板
２２：ロック部材
２３：ピン
２５：ストッパ部材
５０：舗装（道路）
５１：地覆部
【図１】
0006577912.tif 000002
【図２】
0006577912.tif 000003
【図３】
0006577912.tif 000004
【図４】
0006577912.tif 000005
【図５】
0006577912.tif 000006
【図６】
0006577912.tif 000007
【図７】
0006577912.tif 000008
【図８】
0006577912.tif 000009